(57)【特許請求の範囲】
【請求項１】
内部に空気を吸い込むための吸込口（２１）と外部に空気を吹き出すための複数の吹出口（２０）とを有する矩形形状のケーシング（１１）と、
前記ケーシング（１１）の内部に配置された遠心送風機（４０）と、
前記遠心送風機（４０）を囲むように前記ケーシング（１１）の内部に設けられた熱交換器（３２）とを備え、
前記遠心送風機（４０）から熱交換器（３０）を介して複数の吹出口（２０）に至る複数の空気通路（３５ｂ、３５ｃ）のうち、前記遠心送風機からの風向と対向する吹出口（３０）に至る空気通路（３５ｂ）が他の空気通路（３５ｃ）に比較して狭くなるように、前記熱交換器（３２）が配置されており、
前記熱交換器（３２）は、その両側に比較して前記ケーシング（１１）の側壁にさらに近接する第１、第２及び第３近接部（５３ａ，５３ｂ，５３ｃ）をそれぞれ前記遠心送風機の回転方向（Ｒ）に対して逆順に有し、
前記熱交換器（３２）の、前記第１近接部（５３ａ）と前記第２近接部（５３ｂ）との間の第１領域（３２ｂ）の長さは、前記第２近接部（５３ｂ）と第３近接部（５３ｃ）との間の第２領域（３２ｃ）の長さとほぼ同じである、
空気調和機（２）。
【請求項２】
内部に空気を吸い込むための吸込口（２１）と外部に空気を吹き出すための複数の吹出口（２０）とを有する矩形のケーシング（１１）と、
前記ケーシング（１１）の内部に配置された遠心送風機（４０）と、
前記遠心送風機（４０）を囲むように前記ケーシング（１１）の内部に設けられた熱交換器（３０）とを備え、
前記熱交換器（３０）は、その両側に比較して前記ケーシング（１１）にさらに近接する第１、第２及び第３近接部（５０ａ、５０ｂ、５０ｃ）をそれぞれ前記遠心送風機の回転方向（Ｒ）に対して逆順に有しており、
前記熱交換器（３０）の第１近接部（５０ａ）及び第３近接部（５０ｃ）は前記遠心送風機（４０）の中心を通り且つ前記ケーシング（１１）の対向する第１及び第２側壁と直交する軸（１４）の近傍に位置し、前記熱交換器（３０、３２）の第２近接部（５０ｂ）は前記遠心送風機（４０）の中心を通り且つ前記ケーシング（１１）の対向する第３及び第４側壁と直交する軸（１５）に対して前記熱交換器（３０）の第１近接部（５０ａ）側にずれるように配置され、
前記複数の吹出口（２０）は、前記ケーシング（１１）の前記第１及び第２側壁のそれぞれにおいて、前記第１近接部（５０ａ）を挟むように設けられた第１及び第２吹出口（２０ａ、２０ｂ）と、前記第３近接部（５０ｃ）を挟むように設けられた第３及び第４吹出口（２０ｃ、２０ｄ）とを有している、
空気調和機（１）。
【請求項３】
前記熱交換器（３２）の、前記第１近接部（５３ａ）と前記第２近接部（５３ｂ）との間の第１領域（３２ｂ）の長さは、前記第２近接部（５３ｂ）と第３近接部（５３ｃ）との間の第２領域（３２ｃ）の長さとほぼ同じである、請求項２に記載の空気調和機（２）。
【請求項４】
前記熱交換器（３２）は、前記第１領域（３２ｂ）に前記ケーシング（１１）の内部方向に屈曲する屈曲部（５２）を有している、請求項１又は３に記載の空気調和機（２）。
【請求項５】
前記熱交換器（３２）は、複数の熱交換器本体（３２１、３２２）及び前記複数の熱交換器本体（３２）を接続する接続部（５５）からなる、請求項１から４のいずれかに記載の空気調和機（２）。
【請求項６】
内部に空気を吸い込むための吸込口（２１）と、それぞれが矩形状に配置された外部に空気を吹き出すための複数の吹出口（２２）とを有するケーシング（１３）と、
前記ケーシング（１３）の内部に配置される遠心送風機（４０）と、
前記遠心送風機（４０）を囲むように前記ケーシング（１３）の内部に設けられ、前記複数の吹出口（２２）の内側に矩形状に配置された熱交換器（３４）と、
前記矩形状の熱交換器（３４）の１つの角部に設けられ、前記熱交換器（３４）に冷媒を供給する冷媒供給部（３８）とを備え、
前記熱交換器（３４）は前記冷媒供給部（３８）に対して前記遠心送風機（４０）の回転方向（Ｒ）下流側に延伸部（５２）を有しており、
前記延伸部（５２）は、前記ケーシング（１１）の内部方向に屈曲する屈曲部（５２）である、
空気調和機（３）。
【発明の詳細な説明】
【０００１】
【発明の属する技術分野】
本発明は、空気調和機、特に、天井に埋設される空気調和機に関する。
【０００２】
【従来の技術】
空気調和機は、圧縮機、ファン、熱交換器等を有し屋外に設置される室外機と、ファンや熱交換器を有する室内機とを有している。室内機としては、壁掛けタイプの室内機や、天井埋込型の室内機等が提供されている。
【０００３】
天井埋込型の室内機は、主に、下面に吸込口及び吹出口を有するケーシングと、ケーシング内部に配置されたファンとしての遠心送風機と、遠心送風機と吹出口との間に配置された熱交換器とを有している。このような室内機では、遠心送風機により、吸込口から室内の空気がケーシング内部に取り込まれ、さらに取り込まれた空気は横方向に送風される。そして、この遠心送風機から送り出された空気は、遠心送風機を取り囲むように配置された熱交換器において熱交換され、その後吹出口から室内に供給される。
【０００４】
【発明が解決しようとする課題】
空気調和機の吹出口からの送風は、内部の通風部の形状により不均一になることがある。特に、天井埋込型の室内機では、天井裏に設置されるためにケーシングの大きさが制限され、この制限されたケーシングのスペース内に遠心送風機と熱交換器とが配置されるために、不均一化を防ぐことが困難になる。そして、送風が不均一になると、風量の強い部分から通風音が発生したり、また冷房、暖房性能の低下を招くことになる。
【０００５】
また、前記と同様の理由により、天井埋込型の室内機は熱交換器の大きさが制限されるので、限られた空間の中において、できるだけ熱交換器と空気との熱交換効率を向上させる必要がある。
【０００６】
本発明の課題は、遠心送風機を有する空気調和機において、室内機吹出口の風速分布の均一化を図ることにある。また、室内機の寸法を大きくすることなく、熱交換効率の向上を図ることにある。
【０００７】
【課題を解決するための手段】
請求項１に記載の空気調和機は、ケーシングと遠心送風機と熱交換器とを備えている。ケーシングは、矩形形状であって、内部に空気を吸い込むための吸込口と外部に空気を吹き出すための複数の吹出口とを有する。遠心送風機は、ケーシングの内部に配置されている。熱交換器は、遠心送風機を囲むようにケーシングの内部に設けられている。また、熱交換器は、遠心送風機から熱交換器を介して複数の吹出口に至る複数の空気通路のうち、遠心送風機からの風向と対向する吹出口に至る空気通路が他の空気通路に比較して狭くなるように配置されている。熱交換器は、その両側に比較してケーシングの側壁にさらに近接する第１、第２及び第３近接部をそれぞれ遠心送風機の回転方向に対して逆順に有し、熱交換器の、第１近接部と第２近接部との間の第１領域の長さは、第２近接部と第３近接部との間の第２領域の長さとほぼ同じである。
【０００８】
この空気調和機では、遠心送風機が駆動されることにより、吸込口からケーシング内部に空気が吸い込まれ、さらに複数の吹出口から空気が吹き出される。このとき、ケーシングの形状や吹出口の位置、さらには遠心送風機、熱交換器及び吹出口の相互の位置関係によって、遠心送風機と複数の吹出口との間に形成される空気通路はそれぞれ抵抗が異なる。このため、複数の吹出口のそれぞれから吹き出される空気の風速が異なり、場合によっては通風音が発生したり、また冷房、暖房性能の低下を招く原因となる。
【０００９】
具体的には、遠心送風機からの風向と対向する吹出口からは、遠心送風機からの風向と対向していない吹出口に比較して風量が多くなる。
【００１０】
そこで、この空気調和機では、複数の空気通路のうち、遠心送風機からの風向と対向する吹出口に至る空気通路が他の空気通路に比較して狭くなるように熱交換器が配置されている。このため、この空気通路の抵抗が大きくなり、空気の流速が抑えられ、複数の吹出口から吹き出される風速分布の均一化を図ることができる。これにより、通風音を抑えるとともに、冷房、暖房性能の低下を抑えることができる。
【００１１】
更に、この空気調和機では、空気通路の幅による空気抵抗のために複数の吹出口から吹き出される空気流量が均一になっており、第１及び第２領域を通る空気流量はそれぞれほぼ等しくなる。しかも、ここでは、第１及び第２領域における熱交換器の長さがほぼ等しくなっているので、熱交換効率がほぼ同一となる。これにより、各空気通路における熱交換効率が均一化され、冷房、暖房効率が向上し、各吹出口からの空気の温度分布が均一化される。
【００１２】
請求項２に記載の空気調和機は、ケーシングと遠心送風機と熱交換器とを備える。ケーシングは、矩形であり、内部に空気を吸い込むための吸込口と外部に空気を吹き出すための複数の吹出口とを有する。遠心送風機はケーシングの内部に配置される。熱交換器は遠心送風機を囲むようにケーシングの内部に設けられる。また熱交換器は、その両側に比較してケーシングにさらに近接する第１、第２及び第３近接部をそれぞれ遠心送風機の回転方向に対して逆順に有している。熱交換器の第１近接部及び第３近接部は、遠心送風機の中心を通り且つケーシングの対向する第１及び第２側壁と直交する軸の近傍に位置する。熱交換器の第２近接部は、遠心送風機の中心を通り且つケーシングの対向する第３及び第４側壁と直交する軸に対して熱交換器の第１近接部側にずれるように配置される。複数の吹出口は、ケーシングの第１及び第２側壁のそれぞれにおいて、第１近接部を挟むように設けられた第１及び第２吹出口と、第３近接部を挟むように設けられた第３及び第４吹出口とを有している。
【００１３】
この空気調和機では、遠心送風機が駆動されることにより、吸込口からケーシング内部に空気が吸い込まれ、さらに４ヶ所の吹出口から空気が吹き出される。このとき、ケーシングの形状や吹出口の位置、さらには遠心送風機、熱交換器及び吹出口の相互の位置関係によって、遠心送風機と複数の吹出口との間に形成される空気通路はそれぞれ抵抗が異なる。このため、複数の吹出口のそれぞれから吹き出される空気の風速が異なり、場合によっては通風音が発生したり、また冷房、暖房性能の低下を招く原因となる。
【００１４】
具体的には、この空気調和機では、ケーシングの第１側壁において、第１近接部を挟むように第１吹出口及び第２吹出口が配置されている。したがって、仮に遠心送風機の回転方向の下流側を第１吹出口とし、上流側を第２吹出口とすると、第２吹出口に対しては遠心送風機の風向が対向するので、風量が多くなり、逆に第１吹出口に対しては風量が第２吹出口に比較して少なくなる。これは、第３吹出口及び第４吹出口についても同様である。
【００１５】
そこで、この空気調和機では、熱交換器を、遠心送風機の中心を通り且つケーシングの側壁と直交する軸に対して傾けて配置し、遠心送風機から吹出口に至る空気通路の抵抗を調整して各吹出口からの風量の均一化を図っている。
【００１６】
具体的には、第２近接部を第１近接側にずらすことにより、第１近接部と第２近接部との間に形成される空気通路を、第３近接部と第２近接部との間に形成される空気通路よりも狭くしている。狭められた空気通路は、遠心送風機から吹き出される空気の流れに空気抵抗を生じさせるため、第１及び第２近接部を通って第２吹出口から吹き出される空気流量は、他の空気通路に比較して少なくなり、複数の吹出口から吹き出される風速分布の均一化を図ることができる。よって、通風音を抑えるとともに、冷房、暖房性能の低下を抑えることができる。
【００１７】
請求項３に記載の空気調和機は、請求項２に記載の空気調和機であって、熱交換器の、第１近接部と第２近接部との間の第１領域の長さは、第２近接部と第３近接部との間の第２領域の長さとほぼ同じである。
【００１８】
ここでは、請求項１の場合と同様に、各空気通路における熱交換効率がほぼ同一となる。これにより、各空気通路における熱交換効率が均一化され、冷房、暖房効率が向上し、各吹出口からの空気の温度分布が均一化される。
【００１９】
請求項４に記載の空気調和機は、請求項１又は３に記載の空気調和機であって、熱交換器は、第１領域にケーシングの内部方向に屈曲する屈曲部を有している。
【００２０】
第２近接部の位置は第１近接部側に偏っているため、第１及び第２領域の熱交換器の長さを等しくするためには屈曲させる必要がある。ここでは、第１領域の熱交換器をケーシングの内部方向に屈曲させている。これにより、ケーシングの大きさを変更することなく熱交換器の長さを等しくしており、構成が簡単になる。
【００２１】
請求項５に記載の空気調和機は、請求項１から４のいずれかに記載の空気調和機であって、熱交換器は、複数の熱交換器本体及び複数の熱交換器本体を接続する接続部からなる。
【００２２】
熱交換器を屈曲させることにより、熱交換器内部の構造にゆがみが生じる。このため、熱交換器の屈曲加工による不良が生じる可能性がある。屈曲部が多いと、それだけ屈曲加工の回数が増加し、不良が生じる頻度が増す。
【００２３】
ここでは、室内機の熱交換器が二個以上であることにより、一個当たりの屈曲加工の回数を減らすことができる。これにより、熱交換器の不良の発生頻度を抑制することができる。
【００２４】
また、同じ形状の熱交換器を複数使用する場合には、製造する熱交換器の種類が少なくなるため、製造の省力化や費用削減を図ることができる。
【００２５】
請求項６に記載の空気調和機は、ケーシングと遠心送風機と熱交換器と冷媒供給部とを備える。ケーシングは、内部に空気を吸い込むための吸込口と、それぞれが矩形状に配置された外部に空気を吹き出すための複数の吹出口とを有している。遠心送風機はケーシングの内部に配置される。熱交換器は、遠心送風機を囲むようにケーシングの内部に設けられ、前記複数の吹出口の内側に矩形状に配置されている。冷媒供給部は、ケーシングの角部に設けられており、熱交換器に冷媒を供給する。そして、熱交換器は冷媒供給部に対して遠心送風機の回転方向下流側に延伸部を有している。そして、延伸部は、ケーシングの内部方向に屈曲する屈曲部である。
【００２６】
この空気調和機では、遠心送風機が駆動されることにより、吸込口からケーシング内部に空気が吸い込まれ、さらに複数の吹出口から空気が吹き出される。このとき、ケーシングの形状、吹出口の位置、冷媒供給部の位置、さらには遠心送風機、熱交換器及び吹出口の相互の位置関係によって、遠心送風機と複数の吹出口との間に形成される空気通路はそれぞれ抵抗が異なる。このため、複数の吹出口のそれぞれから吹き出される空気の風速が異なる。特に、冷媒供給部が設けられているために、その付近において吹出口へ向かう空気通路は狭められてしまう。このため、遠心送風機の回転方向下流側において空気流量が増加し、空気の流れに乱れが生じる。このため、冷媒供給部付近の吹出口から送風される空気が十分に空気調和されないまま吹き出されることになる。
【００２７】
そこで、この空気調和機では、複数の空気通路のうち、冷媒供給部に対して遠心送風機の回転方向下流側の熱交換器に延伸部を設けている。これにより、複数の吹出口から吹き出される空気調和の均一化を図ることができるため、冷房、暖房性能の低下を抑えることができる。更に、冷媒供給部に対して遠心送風機の回転方向下流側における熱交換器の延伸部がケーシングの内部方向に屈曲する屈曲部である。これにより、ケーシングの大きさを変更することなく熱交換器の長さを延伸することができる。
【００２８】
【発明の実施の形態】
［第１実施形態］
本発明の第１実施形態に係る空気調和機の室内機１の外観斜視図を図１に、遠心送風機を含む面における室内機の垂直断面図を図２に、水平断面図を図３に示す。
【００２９】
＜構成＞
この室内機１は、天井埋込型であり、天井に埋め込まれるケーシング１１を有している。また、ケーシング１１の内部にはターボファン（遠心送風機）４０及び熱交換器３０が設けられている。この室内機１は、設置されている室内の空気を取り込み、空気調和を行って、室内に熱交換を行った空気調和後の空気を供給するものである。
【００３０】
ケーシング１１は、その内部に室内機１の部材を保持するケースである。ケーシング１１は、直方体の外形をしており、その底部に底板１２を有している。底板１２の長辺側において、外側に吹出口２０が形成され、この吹出口２０の内側に吸込口２１が設けられている。吹出口２０は室内機１で空気調和した空気を室内へ供給するための通風口であり、吸込口２１は室内から室内機１へ空気を取り込むための通風口である。なお、吹出口２０は、ケーシング１１の一対の長辺側の一方において、中心よりターボファン４０の回転方向下流側に設けられた第１吹出口２０ａと、回転方向上流側に設けられた第２吹出口２０ｂとを有し、長辺側の他方において、中心より回転方向下流側で第２吹出口２０ｂに対向する位置に設けられた第３吹出口２０ｃと、回転方向上流側で第１吹出口２０ａに対向する位置に設けられた第４吹出口２０ｄとを有している。
【００３１】
ターボファン４０は、ケーシング１１のほぼ中央に位置する。ターボファン４０は、外周部に多数の翼を備えており、図３の矢印Ｒ方向に回転することにより、ターボファン４０内部にある空気を回転方向へ押し出し、室内機１の内部に空気の流れを生じさせる。
【００３２】
熱交換器３０は、通風する空気に対して熱交換を行う部材である。そして、この熱交換器３０は、ターボファン４０を囲むようにほぼ菱形に形成されており、それぞれ両側の他の部分よりもケーシング１１の内壁に近接する第１、第２及び第３近接部５０ａ、５０ｂ、５０ｃを有している。第１近接部５０ａは、ターボファン４０の中心を通りケーシング１１の長辺部と直交する軸１４の近傍に位置しており、第１吹出口２０ａと第２吹出口２０ｂとに挟まれている。第３近接部５０ｃは、第１近接部５０ａと対向する逆側に位置しており、第３吹出口２０ｃと第４吹出口２０ｄとに挟まれている。また、第２近接部５０ｂは、ターボファン４０の中心を通りケーシング１１の短辺部と直交する軸１５から所定の角度だけ第２吹出口２０ｂ側（第１近接部５０ａ側）に傾いた軸３６上に位置している。また、この熱交換器３０は、その端部で冷媒供給部３１に接続されている。そして、冷媒供給部３１は、軸１５に対して第４吹出口２０ｄ側に偏位して配置されている。
【００３３】
以上のように熱交換器３０を配置することにより、ターボファン４０から各吹出口に至る空気通路が形成される。すなわち、ターボファン４０から第１吹出口２０ａに至る第１空気通路３５ａが冷媒供給部３１と第１近接部５０ａとの間に形成され、ターボファン４０から第２吹出口２０ｂに至る第２空気通路３５ｂが第１近接部５０ａと第２近接部５０ｂとの間に形成され、ターボファン４０から第３吹出口２０ｃに至る第３空気通路３５ｃが第２近接部５０ｂと第３近接部５０ｃとの間に形成され、ターボファン４０から第４吹出口２０ｄに至る第４空気通路３５ｄが第３近接部５０ｃと冷媒供給部３１との間に形成される。
【００３４】
また、各空気通路３５ａ〜３５ｄに対応して、熱交換器３０の各領域３０ａ〜３０ｄが配置されている。すなわち、熱交換器３０のうちの、冷媒供給部３１と第１近接部５０ａとの間の第１領域３０ａが第１空気通路３５ａに配置され、第１近接部５０ａと第２近接部５０ｂとの間の第２領域３０ｂが第２空気通路３５ｂに配置されている。また、熱交換器３０のうちの、第２近接部５０ｂと第３近接部５０ｃとの間の第３領域３０ｃが第３空気通路３５ｃに配置され、第３近接部５０ｃと冷媒供給部３１との間の第４領域３０ｄが第４空気通路３５ｄに配置されている。
【００３５】
そして、熱交換器３０を前述のように傾けて配置することにより、その第１及び第３領域３０ａ、３０ｃは第２及び第４領域３０ｂ、３０ｄに比較してその長さが短くなっている。
【００３６】
＜動作＞
室内機１の動作について説明する。
【００３７】
まず、ターボファン４０が回転することにより、室内機１の内部を空気が通風する。空気は、室内に面している吸込口２１から室内機１の内部に取り込まれる。取り込まれた空気は、ターボファン４０により、その周囲に送風される。押し出された空気は、ターボファン４０の周囲に配されている熱交換器３０により熱交換され、各吹出口２０ａ〜２０ｄから室内に供給される。
【００３８】
ここで、ターボファン４０が回転した場合の、各空気通路３５ａ〜３５ｄの風速（風量）について考察すると、以下のようになる。
【００３９】
まず、軸１４に対して第２吹出口２０ｂ及び第３吹出口２０ｃ側をについて考察する。
【００４０】
ターボファン４０の回転方向及び各吹出口２０ｂ、２０ｃの配置により、第２吹出口２０ｂはターボファン４０からの風向に対して対向しており、熱交換器３０が無い場合にはターボファン４０からの空気流速が速くなる。一方、第３吹出口２０ｃは、ターボファン４０からの風向に沿った位置に配置されており、ターボファン４０からの風向に対向していない。すなわち、第３吹出口２０ｃは、熱交換器３０がない場合にはターボファン４０からの空気流速が遅くなる位置に配置されている。これは、軸１４に対して第１吹出口２０ａ及び第４吹出口２０ｄ側についても同様であり、ターボファン４０の回転方向及び各吹出口２０ａ、２０ｄの配置により、熱交換器３０が無い場合には第４吹出口２０ｄへの空気流速が第１空気通路３５ａに比べて速くなる。
【００４１】
しかし、この実施形態では、前述のように、ほぼ菱形に形成された熱交換器３０を軸１５に対して傾けて配置されており、各吹出口２０ａ〜２０ｄへの各空気通路３５ａ〜３５ｄにおける熱交換器３０の各領域の幅（長さ）は均等ではない。すなわち、第２及び第４領域３０ｂ、３０ｄの幅は第１及び第３領域３０ａ、３０ｃの幅に比較して狭い。
【００４２】
したがって、第２及び第４領域３０ｂ、３０ｄを通過する際の空気の抵抗は、第１及び第３領域３０ａ、３０ｃを通過する際の抵抗よりも大きくなる。その結果、各空気通路３５ａ〜３５ｄを通過してそれぞれの空気吹出口２０ａ〜２０ｄから吹き出される空気の量（風速）が均一化される。
【００４３】
［第２実施形態］
＜構成＞
本発明の第２実施形態に係る空気調和機の室内機２の水平断面図を図４に示す。
【００４４】
第１実施形態では、熱交換器の配置をずらすことにより各空気通路の抵抗を変え、各吹出口からの風量の均一化を図っている。この場合、各空気通路に配置される熱交換器の各領域における長さ、すなわち熱交換面積が異なっている。したがって、各吹出口からの風量は均一化されるものの、温度分布が不均一になるおそれがある。
【００４５】
そこでこの第２実施形態では、各吹出口から吹き出される空気の温度分布をも均一化することを目的としてなされたものである。したがって、この第２実施形態では、熱交換器の構成のみが第１実施形態と異なり、他の構成は同じである。
【００４６】
熱交換器３２は、通風する空気に対して熱交換を行う部材であり、前記同様に、ターボファン４０を囲むように配置されている。この熱交換器３２は、ターボファン４０の中心を通りケーシング１１の短辺部に直交する軸１５に対して第１及び第２吹出口２０ａ、２０ｂ側に配置された第１本体３２１と、逆側の第３及び第４吹出口２０ｃ、２０ｄ側に配置された第２本体３２２とから構成されている。そして、第１本体３２１と第２本体３２２とは、軸１５に沿った方向の一端側が接続部材５５により接続され、他端側が冷媒供給部３３に接続されている。なお、冷媒供給部３３は軸１５に対して第４吹出口２０ｄ側に偏位して配置されている。
【００４７】
また、この熱交換器３２は、それぞれ両側の他の部分よりもケーシング１１の内壁に近接する第１、第２及び第３近接部５３ａ、５３ｂ、５３ｃを有している。第１近接部５３ａは、軸１４の近傍に位置しており、第１吹出口２０ａと第２吹出口２０ｂとに挟まれている。第３近接部５３ｃは、第１近接部５３ａと対向する逆側に位置しており、第３吹出口２０ｃと第４吹出口２０ｄとに挟まれている。また、第２近接部５３ｂは、軸１５から所定の角度だけ第２吹出口２０ｂ側に傾いた軸３７の近傍に位置している。
【００４８】
以上のように熱交換器３０を配置することにより、ターボファン４０から各吹出口に至る空気通路が形成される。すなわち、ターボファン４０から第１吹出口２０ａに至る第１空気通路３５ａが冷媒供給部３３と第１近接部５３ａとの間に形成され、ターボファン４０から第２吹出口２０ｂに至る第２空気通路３５ｂが第１近接部５３ａと第２近接部５３ｂとの間に形成され、ターボファン４０から第３吹出口２０ｃに至る第３空気通路３５ｃが第２近接部５３ｂと第３近接部５３ｃとの間に形成され、ターボファン４０から第４吹出口２０ｄに至る第４空気通路３５ｄが第３近接部５３ｃと冷媒供給部３３との間に形成される。
【００４９】
そして、熱交換器３２の第１本体３２１のうちの第１領域３２ａは第１空気通路３５ａに配置され、第１本体３２１のうちの第２領域３２ｂは第２空気通路３５ｂに配置されている。さらに、熱交換器３２の第２本体３２２のうちの第３領域３２ｃは第３空気通路３５ｃに配置され、第２本体３２２のうちの第４領域３２ｄは第４空気通路３５ｄに配置されている。
【００５０】
熱交換器３２において、第１及び第３領域３２ａ、３２ｃにはケーシング１１の外側に膨らむ屈曲部５４が形成され、第２及び第４領域３２ｂ、３２ｄにはケーシング１１の内側に膨らむ屈曲部５２が形成されている。これにより、４つの領域３２ａ〜３２ｄにおける熱交換器の長さはほぼ等しく、したがって各領域の熱交換面積がそれぞれほぼ等しくなる。
【００５１】
＜動作＞
室内機２の基本動作は第１実施形態における動作と同様である。
【００５２】
ここで、第１実施形態で説明したとおり、軸１４に対して第２吹出口２０ｂ及び第３吹出口２０ｃ側について考察すると、熱交換器がない場合には第２吹出口２０ｂへの空気流速が第３吹出口２０ｃへの空気流速に比べて速くなる。また、軸１４に対して第１吹出口２０ａ及び第４吹出口２０ｄ側についても同様であり、第４吹出口２０ｄへの空気流速が第１吹出口２０ａへの空気流速に比べて速くなる。
【００５３】
この実施形態でも第１実施形態と同様に、第２近接部５３ｂが軸１５に対して傾けて配置されており、各吹出口２０ａ〜２０ｄから吹き出される空気の量（風速）が均一化されている。さらに、熱交換器３２を屈曲させることにより各領域における熱交換面積がほぼ等しくなっており、各空気通路３５ａ〜３５ｄにおける熱交換効率が均一化される。これにより、従来の空気調和機に比べて冷房及び暖房の効率を向上することができる。また、各吹出口２０ａ〜２０ｄから吹き出される空気の温度分布を均一化することができる。
【００５４】
特に、熱交換器３２に屈曲部５２を形成して熱交換面積を確保しているので、室内機２のサイズを拡大せずに熱交換面積を大きくできる。
【００５５】
［第３実施形態］
＜構成＞
本発明の第３実施形態に係る空気調和機の室内機３の水平断面図を図５に示す。
【００５６】
ケーシング１３は、横断面がほぼ正方形状であり、４つの角部に面取りが施されている。そして、底板の外周部分には、４つの各辺に沿って吹出口２２と図示しない吸込口とが配されている。そして、ケーシング１３の中央部にはターボファン４０が配置されている。
【００５７】
熱交換器３４は、吹出口２２の内側においてターボファン４０を囲むようにほぼ正方形に配置されており、両端部はケーシング１３の１つの角部に配置された冷媒供給部３８に接続されている。そして、この熱交換器３４は、正方形の各辺に沿って配置するために、各角部に対応する位置に屈曲部５６を有している。また、熱交換器３４における４つの直線部のうち、冷媒供給部３８に対してターボファン４０の回転方向下流側にケーシング１３の内部に膨らむように屈曲する屈曲部５２を有している。
【００５８】
＜動作＞
室内機３の基本動作は第１実施形態における動作と同様である。
【００５９】
この実施形態では、前記実施形態と同様に、ターボファン４０から各吹出口２２に至る経路にそれぞれ空気通路が形成される。しかし、４つの空気通路のうちの冷媒供給部３８に近接するターボファン４０の回転方向下流側の空気通路においては、空気が冷媒供給部３８の壁等に案内されて導かれ、他の空気通路に比較して流れる空気が多くなる。
【００６０】
そこで、この実施形態では、熱交換器のうちの、空気が多く流れる空気通路に位置する領域に屈曲部５２を設け、熱交換面積を大きくしている。これにより、熱交換効率が向上し、各吹出口２２から吹き出される空気がほぼ均一に空気調和されて吹き出されるため、冷房、暖房性能が向上する。
【００６１】
【発明の効果】
請求項１の空気調和機では、複数の吹出口から吹き出される風速分布の均一化を図ることができる。これにより、通風音を抑えるとともに、冷房、暖房性能の低下を抑えることができる。更に、この空気調和機では、熱交換器の第１及び第２領域の長さをほぼ同一にすることで、各空気通路における熱交換効率がほぼ同一となる。これにより、冷房、暖房効率が向上するとともに、各吹出口からの空気の温度分布が均一化される。
【００６２】
請求項２の空気調和機では、複数の吹出口から吹き出される風速分布の均一化を図ることができる。よって、通風音を抑えるとともに、冷房、暖房性能の低下を抑えることができる。
【００６３】
請求項３の空気調和機では、請求項１の場合と同様に、冷房、暖房効率が向上するとともに、各吹出口からの空気の温度分布が均一化される。
【００６４】
請求項４の空気調和機では、第１領域の熱交換器をケーシングの内部方向に屈曲させていることにより、ケーシングの大きさを変更することなく熱交換器の長さを等しくしており、構成が簡単になる。
【００６５】
請求項５の空気調和機では、室内機の熱交換器が二個以上であることにより、一個当たりの屈曲加工の回数を減らすことができる。
【００６６】
請求項６の空気調和機では、複数の空気通路のうち、冷媒供給部に対して遠心送風機の回転方向下流側の熱交換器に延伸部を設けている。これにより、複数の吹出口から吹き出される空気調和の均一化を図ることができるため、冷房、暖房性能の低下を抑えることができる。更に、延伸部がケーシングの内部方向に屈曲する屈曲部であるので、ケーシングの大きさを変更することなく熱交換器の長さを延伸することができる。
【図面の簡単な説明】
【図１】  第１、第２実施形態に係る空気調和機の室内機の外観斜視図。
【図２】  第１実施形態に係る空気調和機の室内機の垂直断面図。
【図３】  第１実施形態に係る空気調和機の室内機の水平断面図。
【図４】  第２実施形態に係る空気調和機の室内機の水平断面図。
【図５】  第３実施形態に係る空気調和機の室内機の水平断面図。
【符号の説明】
１、２、３        室内機
１４、１５        軸
２０、２２        吹出口
２１              吸込口
３０、３２、３４  熱交換器
３１、３３、３８  冷媒供給部
３５              空気通路
３６、３７        軸
４０              ターボファン
５０              近接部
５３              屈曲部
【図１】
0004724939.tif 000002
【図２】
0004724939.tif 000003
【図３】
0004724939.tif 000004
【図４】
0004724939.tif 000005
【図５】
0004724939.tif 000006